(57)【要約】      （修正有）【課題】トイレットペーパなどのロール体を便器から隔たる位置などに配置しながら、そのロール体を保持したロールホルダを使用者の手元近くに移動させることのできる移動式ロールホルダを提供する。【解決手段】ロール体Ｒを回転自在に保持するロールホルダ１と、径が異なる複数のロッド部材２１，２２を同軸上に伸縮自在に組み合わせた伸縮ロッド２と、該伸縮ロッド２を片持ち支持する支持ベース３とを備える。ロールホルダ１は、伸縮ロッド２の先端部に結合され、伸縮ロッド２の伸縮によりその伸縮方向に移動可能となっている。【選択図】図１
0003169984.tif 000002
【実用新案登録請求の範囲】
【請求項１】
帯状又は線状の部材が円筒状に巻かれてなるロール体を回転自在に保持するロールホルダと、径が異なる複数のロッド部材を同軸上に伸縮自在に組み合わせた伸縮ロッドと、その伸縮ロッドを片持ち支持する支持ベースとを備え、前記伸縮ロッドの先端部に前記ロールホルダが結合されていることを特徴とする移動式ロールホルダ。
【請求項２】
前記伸縮ロッドの伸縮方向に直交して固定構造物に取り付けられるガイドレールを備えると共に、前記支持ベースは前記ガイドレールに係合するスライド部を有して該ガイドレールに沿って移動可能とされていることを特徴とする請求項１記載の移動式ロールホルダ。
【請求項３】
前記ロールホルダは、前記ロール体の両端面に対向する左右一対のサイドプレートを有するホルダ本体と、その両サイドプレートの間に配置されたロール体の上部を覆うホルダカバーと有し、
前記伸縮ロッドは、前記ホルダ本体における両サイドプレートの一方を貫通して他方のサイドプレートに先端部が結合されていることを特徴とする請求項１、又は２記載の移動式ロールホルダ。
【請求項４】
前記ロールホルダは、前記ロール体の中心部に通される芯軸と、前記サイドプレートの内面に設けられて前記芯軸を両持ち支持する軸受部材とを有し、
前記軸受部材には、その中心から上部外周に通じるガイド溝が形成され、
前記芯軸の両端には、前記ガイド溝を通じて軸受部材の中心に移動案内される凸部が設けられていることを特徴とする請求項３記載の移動式ロールホルダ。
【請求項５】
前記ホルダカバーは、その一端部が前記ホルダ本体に枢着されて他の一端縁がロール体の外周部に接触するナイフエッジとされていると共に、前記ホルダ本体とホルダカバーが前記ナイフエッジをロール体の外周部に押し付ける方向に付勢するバネ部材で連結されていることを特徴とする請求項３、又は４記載の移動式ロールホルダ。
【考案の詳細な説明】
【技術分野】
【０００１】
本考案は、帯状又は線状の部材が円筒状に巻かれてなるロール体を回転自在に保持するロールホルダに係わり、特にロール体を保持したロールホルダを必要に応じて使用者の手元近くに移動させ得るようにした移動式ロールホルダに関する。
【背景技術】
【０００２】
従来、トイレットペーパなどのロール体を回転自在に保持する種々のロールホルダが知られている。その多くは、左右一対のサイドプレートを有するホルダ本体に、ロール体の上部を覆うホルダカバーを設けるなどして構成されており、トイレットペーパ用ではホルダ本体がトレイの壁面に取り付けられている。
【０００３】
しかし、トイレの壁面に取り付けられるロールホルダでは、その向きや便器からの距離などに関係して、ペーパを使用するときにこれをロール体から容易に繰り出せないことがある。
【０００４】
そこで、ロール体（ロール状のトイレットペーパ）のホルダをトイレの内壁面にヒンジを介して取り付け、ペーパの使用に際してその繰出方向が便座に着座する使用者側に向けられるようにしたものが提案されている（例えば、特許文献１）。
【先行技術文献】
【特許文献】
【０００５】
【特許文献１】実開平６−５８７９２号公報
【考案の概要】
【考案が解決しようとする課題】
【０００６】
しかしながら、特許文献１に記載される装置（トイレットペーパ取付装置）では、ホルダがヒンジを中心として９０度旋回し、これによりロール体の軸線の向きが変わるだけなので、便器がトイレの内壁面から隔たる位置に設置されている場合、ペーパの使用に際してその配置位置に手が届かないという問題がある。
【０００７】
本考案は、以上のような事情に鑑みて成されたものであり、その目的はトイレの室内空間が広く、便器近くにトイレットペーパホルダを配置するに適した壁面が存在しない場合などでも、ホルダをトイレの壁面などに取り付けながら、ペーパの使用に際してこれを使用者の手元近くに位置付けられるようにすることにある。
【課題を解決するための手段】
【０００８】
本考案は上記目的を達成するため、帯状又は線状の部材が円筒状に巻かれてなるロール体を回転自在に保持するロールホルダと、径が異なる複数のロッド部材を同軸上に伸縮自在に組み合わせた伸縮ロッドと、その伸縮ロッドを片持ち支持する支持ベースとを備え、前記伸縮ロッドの先端部に前記ロールホルダが結合されていることを特徴とする移動式ロールホルダを提供する。
【０００９】
加えて、前記伸縮ロッドの伸縮方向に直交して固定構造物に取り付けられるガイドレールを備えると共に、前記支持ベースは前記ガイドレールに係合するスライド部を有して該ガイドレールに沿って移動可能とされていることを特徴とする移動式ロールホルダを提供する。
【００１０】
又、本考案に係る移動式ロールホルダは、前記ロールホルダは、前記ロール体の両端面に対向する左右一対のサイドプレートを有するホルダ本体と、その両サイドプレートの間に配置されたロール体の上部を覆うホルダカバーと有し、
前記伸縮ロッドは、前記ホルダ本体における両サイドプレートの一方を貫通して他方のサイドプレートに先端部が結合されていることを特徴とする。
【００１１】
更に、前記ロールホルダは、前記ロール体の中心部に通される芯軸と、前記サイドプレートの内面に設けられて前記芯軸を両持ち支持する軸受部材とを有し、
前記軸受部材には、その中心から上部外周に通じるガイド溝が形成され、
前記芯軸の両端には、前記ガイド溝を通じて軸受部材の中心に移動案内される凸部が設けられていることを特徴とする。
【００１２】
又、前記ホルダカバーは、その一端部が前記ホルダ本体に枢着されて他の一端縁がロール体の外周部に接触するナイフエッジとされていると共に、前記ホルダ本体とホルダカバーが前記ナイフエッジをロール体の外周部に押し付ける方向に付勢するバネ部材で連結されていることを特徴とする。
【考案の効果】
【００１３】
本考案によれば、支持ベースにより片持ち支持された伸縮ロッドの先端部にロールホルダが結合されていることから、ロールホルダとこれにより保持されたロール体を伸縮ロッドの伸縮方向に移動させることができる。このため、ロールホルダを壁際などに配置しながら、ロール体の使用に際して、これを保持したロールホルダを手元近くに引き寄せ、ロール体からその巻回部材を容易に繰り出すことが可能となる。
【００１４】
加えて、固定構造物に取り付けられるガイドレールを備え、そのガイドレールに沿って支持ベースが伸縮ロッドの伸縮方向と直交する方向に移動する構成では、ロールホルダの移動範囲をより大きくすることができる。
【００１５】
又、伸縮ロッドがホルダ本体を形成する両サイドプレートの一方を貫通し、他方のサイドプレートに対してロッド先端部が結合される構成では、伸縮ロッドを縮小させたとき、ホルダ本体内に縮小状態の伸縮ロッドを位置させて支持ベースからホルダ本体が大きく張り出すことを防止できる。
【００１６】
更に、サイドプレートの内面に、ロール体の中心部に通される芯軸を両持ち支持する軸受部材が設けられ、当該軸受部材にその中心から上部外周に通じるガイド溝が形成され、且つ芯軸の両端に、ガイド溝を通じて軸受部材の中心に移動案内される凸部が設けられる構成では、軸受部材に対する芯軸の着脱を容易に行うことができる。
【００１７】
又、ホルダ本体とホルダカバーが、ホルダカバーの一端縁（ナイフエッジ）をロール体の外周部に押し付ける方向に付勢するバネ部材で連結されている構成では、ホルダカバーを手で押えずしてロール体を構成する巻回部材を片手で切断することが可能となる。
【図面の簡単な説明】
【００１８】
【図１】本考案に係る移動式ロールホルダを示す斜視図
【図２】芯軸の一端部を示す拡大平面図
【図３】軸受部材により芯軸の一端部が支持された状態を示す説明図
【図４】ロールホルダの内部を示す側面図
【図５】ロールホルダの側面図
【図６】伸縮ロッドの伸縮状態を示す説明図
【図７】図１に示した移動式ロールホルダの正面図
【図８】ガイドレールに沿って支持ベースが移動する状態を示した説明図
【図９】本考案に係る移動式ロールホルダの使用態様を示す平面図
【考案を実施するための形態】
【００１９】
以下、図面に基づいて、本考案に係る移動式ロールホルダの構成を詳しく説明する。先ず、図１において、１はロール体Ｒを回転自在に保持するロールホルダであり、このロールホルダ１は、合成樹脂材料などから一体成形されたホルダ本体１１を備えている。
【００２０】
ホルダ本体１１は、背板部１１ａに直交してその両端に左右一対のサイドプレート１１ｂ，１１ｃを相対向して形成した平面視コ字形の構造物であり、その両サイドプレート１１ｂ，１１ｃの内面には軸受部材１２が設けられており、その軸受部材１２により着脱自在な芯軸１３が両持ち支持されている。
【００２１】
芯軸１３は、ロール体Ｒの中心を貫通して軸受部材１２の間に架設される円柱状の部材であり、その両端には図２に示されるようにテーパ状の凸部１３ａが設けられている。特に、係る凸部１３ａは、図示せぬバネにより芯軸１３の軸線に沿って外方に付勢されている。尚、図２には芯軸１３の一端側のみを示すが、他端側にも同様の凸部１３が設けられている。
【００２２】
又、図２および図３から明らかなように、軸受部材１２には芯軸１３の凸部１３ａに対応してその中心から上部外周に通じるガイド溝１２ａが形成されている。そして、軸受部材１２への芯軸１３の装着に際し、凸部１３ａがガイド溝１２ａの一端縁に押されて若干引っ込み、これがガイド溝１２ａに弾性接触しながら軸受部材１２の中心に移動案内されるようになっている。これによれば、軸受部材１２に対して芯軸１３を容易に装着でき、しかも軸受部材１２で支持された芯軸１３を押し上げるだけで、これを軸受部材１２から容易に取り外すことができる。特に、ガイド溝１２ａは軸受部材１２に対して偏心した位置に形成されており、これにより芯軸１３が軸受部材１２から不用意に離脱せぬようにしてある。
【００２３】
尚、ロール体Ｒは芯軸１３を中心として回転を許容されるが、芯軸１３は軸受部材１２により回転自在に支持されることに限らず、軸受部材１２に対して回転不能な固定軸とされていてもよい。加えて、上記のような芯軸１３や軸受部材１２を用いず、両サイドプレート１１ｂ，１１ｃにロール体Ｒの両端を支持することのできる揺動式の短軸を設けてもよい。
【００２４】
ここに、ロール体Ｒは、帯状又は線状の部材を円筒状に巻いたもので、本例では係るロール体Ｒがトイレットペーパ（巻芯の有無は問わない）とされ、その両端面に両サイドプレート１１ｂ，１１ｃが対向するようになっている。
【００２５】
更に、図１に示されるように、ロールホルダ１は、両サイドプレート１１ｂ，１１ｃの間に配置されたロール体Ｒの上部を覆うホルダカバー１４を備えている。このホルダカバー１４は、その一端が両サイドプレート１１ｂ，１１ｃに枢着されて当該枢着部分を支点に上下に揺動可能とされ、他の一端縁はロール体Ｒの外周部に接触してその巻回部材（帯状のペーパ）を切断可能なナイフエッジ１４ａとされている。
【００２６】
図４から明らかなように、ホルダカバー１４の先端部は所定の曲率で曲げられ、これによりロール体Ｒの直径が変化してもナイフエッジ１４ａがロール体Ｒの外周部に密着するようになっている。尚、図４において、ロール体Ｒの直径は、一点鎖線で示される状態において４５ｍｍ、二点鎖線で示される状態において１１５ｍｍとされている。
【００２７】
ここに、ナイフエッジ１４ａは、鋭角状でも鋸刃状でもよい。加えて、図５のように、ホルダ本体１１を構成する両サイドプレート１１ｂ，１１ｃとホルダカバー１４をバネ部材１５で連結し、そのバネ部材１５でナイフエッジ１４ａがロール体Ｒの外周部に押し付く方向に付勢されるようにしてもよく、これによれば、ホルダカバー１４を手で押えずしてロール体Ｒを構成する巻回部材（帯状のペーパ）を片手で切断することが可能となる。
【００２８】
一方、図１において、２は横向きに配置された伸縮ロッドである。この伸縮ロッド２は径が異なる複数のロッド部材２１，２２，・・を同軸上に伸縮自在に組み合わせてなるものであり、当該伸縮ロッド２は両サイドプレート１１ｂ，１１ｃの一方１１ｂを貫通して、その先端部（最小径のロッド部材の先端部）が他方のサイドプレート１１ｃに結合されている。特に、伸縮ロッド２は、その基端部（最大径のロッド部材の端部）が支持ベース３に固着され、その支持ベース３により片持ち支持されている。
【００２９】
又、図４、図５から明らかなように、伸縮ロッド２は芯軸１３により支持されるロール体Ｒに干渉せぬよう、ロール体Ｒの回転中心となる軸受部材１２の軸線上から隔たるサイドプレート１１ｂ，１１ｃの下部位置に２つ平行に設けられている。
【００３０】
そして、上記のような伸縮ロッド２によれば、その伸縮によりロールホルダ１を図６の実線で示される位置と、一点鎖線で示される位置との間で移動させることができる。尚、図６から明らかなように、伸縮ロッド２はそれぞれ３つのロッド部材２１，２２，２３からなっており、その伸縮によるロールホルダ１の移動量は本例において２４５ｍｍとされている。
【００３１】
次に、図１および図７において、上記支持ベース３は、水平面内において伸縮ロッド２の伸縮方向と直交する方向に移動可能とされる構造物であり、本例では伸縮ロッド２の基端部を固着した壁部３１ａを有する可動台３１と、可動台３１の底部に連結部材３２を介して取り付けた角筒状のスライド部３３とを有して構成され、そのスライド部３３がガイドレール４に摺動自在に係合されている。
【００３２】
ガイドレール４は、支持ベース３の移動案内をする部材であり、図示例では係るガイドレール４として、支持ベース３のスライド部３３内に嵌合する角パイプが用いられ、これが伸縮ロッド２の伸縮方向と直交する方向に向けて固定構造物Ｆに取り付けられている。
【００３３】
本例において、固定構造物Ｆはトイレ内に設置した手摺であり、これに締結部材５を介してガイドレール４が固定されている。尚、締結部材５は、例えばＵボルトであり、ガイドレール４の両端部には固定構造物Ｆを介して締結部材５（Ｕボルト）と緊結される取付板４１が固着されている。又、図１および図７において、３４は可動台３１の壁部３１ａに固設したホルダストッパであり、そのホルダストッパ３４に対してホルダ本体１１のサイドプレート１１ｂが突き当たることで伸縮ロッド２の縮小時におけるロールホルダ１の停止位置が定められるようになっている。
【００３４】
そして、上記のような支持ベース３およびガイドレール４によれば、伸縮ロッド２を介して支持ベース３に連結されたロールホルダ１を、ガイドレール４に沿って図８の一点鎖線で示される位置と二点鎖線で示される位置との間で移動させることができる。尚、ガイドレール４の長手方向におけるロールホルダ１および支持ベース３の移動量は、本例において１５０ｍｍとされている。
【００３５】
次に、以上のように構成される本願移動式ロールホルダの使用態様を図９により説明する。図９において、Ｓは便器、Ｓａは便器Ｓ上に設けられた便座、Ｗはトイレ内の側壁であり、側壁Ｗと便器Ｓとの間には固定構造物Ｆとして手摺が設けられている。そして、固定構造物Ｆとしての手摺には、これに沿ってガイドレール４が取り付けられ、ロールホルダ１にはロール体Ｒとして円筒状に巻かれたトイレットペーパが保持されている。
【００３６】
しかして、排便のために便座Ｓａ上に着座する前に、ロールホルダ１および支持ベース３を便器Ｓの斜め前方における初期位置Ｐ１から便器Ｓの側方における中間位置Ｐ２に移動させ、便座Ｓａへの着座に際してロールホルダ１を手前側に引っ張る。すると、伸縮ロッド２が伸長し、これによりロールホルダ１が壁際の中間位置Ｐ１から便器Ｓの前方における引出位置Ｐ３まで移動する。
【００３７】
したがって、便座Ｓａ上における着座者は、排便後において手前に位置するロールホルダ１からトイレットペーパを容易に繰り出すことができる。又、トイレからの退出時には、ロールホルダ１を側壁Ｗ側に押し込み、これを初期位置Ｐ１などに復帰させるのであり、これによれば便器Ｓを次に使用するとき、あるいはトイレ清掃に際してロールホルダ１が邪魔にならない。
【００３８】
尚、ロールホルダ１は、伸縮ロッド２を伸長させたままガイドレール４に沿って前後移動させることもでき、このため便座Ｓａ上における着座者の体格によりロールホルダ１の前後位置を調整することができる。
【００３９】
以上、本考案の好適な実施形態を説明したが、ガイドレール４は必ずしも必要でなく、支持ベース３を固定構造物Ｆ（手摺や建物の壁）に直付けするようにしてもよい。又、本願ロールホルダは、ロール体Ｒとしてトイレットペーパを保持対象とすることに限らず、円筒状に巻かれた粘着テープやコード類を保持することもできる。これによれば、例えば机上において粘着テープやコード類を用いて作業を行う場合、そのロール体を作業前において机横の壁際に待機させておき、これを使用に際して手元近くに配置しながら作業を効率良く行うことができる。
【符号の説明】
【００４０】
Ｒ  ロール体
Ｆ  固定構造物
１  ロールホルダ
１１  ホルダ本体
１１ｂ，１１ｃ  サイドプレート
１２  軸受部材
１２ａ  ガイド溝
１３  芯軸
１３ａ  凸部
１４  ホルダカバー
１４ａ  ナイフエッジ
１５  バネ部材
２  伸縮ロッド
２１，２２，２３  ロッド部材
３  支持ベース
３３  スライド部
４  ガイドレール
【図１】
0003169984.tif 000003
【図２】
0003169984.tif 000004
【図３】
0003169984.tif 000005
【図４】
0003169984.tif 000006
【図５】
0003169984.tif 000007
【図６】
0003169984.tif 000008
【図７】
0003169984.tif 000009
【図８】
0003169984.tif 000010
【図９】
0003169984.tif 000011